(57)【要約】【課題】  滅菌槽や、加熱槽を備えている場合は加熱槽の圧力破壊防止を確実に行い得る蒸気滅菌装置を得る。【解決手段】  滅菌槽１に給蒸遮断弁２を設けた給蒸管３と排蒸遮断弁４を設けた排蒸管５が接続され、前記給蒸遮断弁２を開にして給蒸管３から滅菌槽１内へ導入された蒸気により内部に収容した被滅菌物の滅菌を行う蒸気滅菌装置において、前記滅菌槽１内の温度がキュリー点を超えると開く磁力作動スイッチ６を設け、該磁力作動スイッチ６の入力を前記給蒸遮断弁２の電気回路及び／又は排蒸遮断弁４の電気回路と直結させ、滅菌槽１内の温度がキュリー点を超えたとき、前記磁力作動スイッチ６の作動により前記給蒸遮断弁２が閉じ及び／又は排蒸遮断弁４が開くようにした。【選択図】    図１
2006280427.tif 000002
【特許請求の範囲】
【請求項１】
滅菌槽に給蒸遮断弁を設けた給蒸管と排蒸遮断弁を設けた排蒸管が接続され、前記給蒸遮断弁を開にして給蒸管から滅菌槽内へ導入された蒸気により内部に収容した被滅菌物の滅菌を行う蒸気滅菌装置において、
前記滅菌槽内の温度がキュリー点を超えると開く磁力作動スイッチを設け、該磁力作動スイッチの入力を前記給蒸遮断弁の電気回路及び／又は排蒸遮断弁の電気回路と直結させ、滅菌槽内の温度がキュリー点を超えたとき、前記磁力作動スイッチの作動により前記給蒸遮断弁が閉じ及び／又は排蒸遮断弁が開くようにしたことを特徴とする蒸気滅菌装置。
【請求項２】
被滅菌物を収容する滅菌槽とこの滅菌槽を覆い加熱する加熱槽を備え、前記滅菌槽に滅菌槽給蒸遮断弁を備えた滅菌槽給蒸管と滅菌槽排蒸遮断弁を備えた滅菌槽排蒸管が接続され、前記加熱槽に加熱槽給蒸遮断弁を備えた加熱槽給蒸管と加熱槽排蒸遮断弁を備えた加熱槽排蒸管が接続され、前記加熱槽給蒸遮断弁を開にして加熱槽給蒸管から加熱槽内へ導入された蒸気により滅菌槽を加熱し、前記滅菌槽給蒸遮断弁を開にして滅菌槽給蒸管から滅菌槽内へ導入された蒸気により滅菌槽内に収容した被滅菌物の滅菌を行う蒸気滅菌装置において、
前記滅菌槽内の温度がキュリー点を超えると開く磁力作動スイッチを設け、該磁力作動スイッチの入力を前記滅菌槽給蒸遮断弁の電気回路及び／又は滅菌槽排蒸遮断弁の電気回路と直結させ、滅菌槽内の温度がキュリー点を超えたとき、前記磁力作動スイッチの作動により前記滅菌槽給蒸遮断弁が閉じ及び／又は滅菌槽排蒸遮断弁が開くようにし、
また、前記加熱槽内の温度がキュリー点を超えると開く磁力作動スイッチを設け、該磁力作動スイッチの入力を前記加熱槽給蒸遮断弁の電気回路及び／又は加熱槽排蒸遮断弁の電気回路と直結させ、加熱槽内の温度がキュリー点を超えたとき、前記磁力作動スイッチの作動により前記加熱槽給蒸遮断弁が閉じ及び／又は加熱槽排蒸遮断弁が開くようにしたことを特徴とする蒸気滅菌装置。
【発明の詳細な説明】
【技術分野】
【０００１】
本発明は、滅菌槽内へ蒸気を導入して内部に収容した被滅菌物の滅菌を行う蒸気滅菌装置に関する。
【背景技術】
【０００２】
従来より、病院等で治療に用いられたメスや鉗子等の被滅菌物を蒸気で滅菌する蒸気滅菌装置が知られている。蒸気滅菌とは、蒸気が凝縮する際に放出される熱を利用して滅菌を行うものであり、蒸気滅菌装置は、被滅菌物を収容した滅菌槽へ蒸気を導入して加圧し、所定の温度とした状態を一定時間保ち、被滅菌物の滅菌を行っている。
【０００３】
また、蒸気滅菌装置の多くは、滅菌効果を高めると共に滅菌処理後の被滅菌物の濡れを防止するために、滅菌槽とこの滅菌槽内の被滅菌物を所定温度まで予熱した後、滅菌作業を実施している。このような蒸気滅菌装置では、滅菌槽と被滅菌物との予熱に関しては、被滅菌物を収容する滅菌槽の周囲を覆う加熱槽を備えた構造となっており、加熱槽内へ蒸気を導入することによって滅菌槽を外側から加熱し、運転開始時においては滅菌槽内を所定温度まで昇温させ、運転中においてこの温度を維持している（例えば、特許文献１参照。）。
【０００４】
このような蒸気滅菌装置は、被滅菌物を収容した滅菌槽へ蒸気を導入して加圧し、滅菌槽内を所定の温度とし、また、加熱槽内へ蒸気を導入して加圧し、加熱槽内を所定の温度として滅菌槽を外側から加熱しているので、滅菌槽や加熱槽の圧力破壊を常に注意する必要があり、蒸気滅菌装置を安全に使用するために、滅菌槽や加熱槽の圧力破壊防止が重要なポイントとなっている。
【０００５】
滅菌槽や加熱槽の圧力破壊は、槽内圧力が異常に上昇することに起因するものであり、滅菌槽や加熱槽の圧力破壊を防止する手段として、滅菌槽や加熱槽内に温度センサを設けておき、温度センサにより検出した槽内の温度信号をマイクロコンピュータに入力して判断し、滅菌槽や加熱槽の圧力が異常であると判断すると滅菌槽や加熱槽内へ蒸気を供給する弁を閉じて、滅菌槽や加熱槽の圧力の上昇を防止することが考えられる。
【特許文献１】特開２００１−１９０６４２号公報
【発明の開示】
【発明が解決しようとする課題】
【０００６】
しかしながら、前記の滅菌槽や加熱槽の圧力破壊を防止する手段は、温度センサがフェールセーフなものとなっておらず、また、前記温度センサの信号をマイクロコンピュータにて判断して滅菌槽や加熱槽内へ蒸気を供給する弁を制御するようになっているので、前記マイクロコンピュータが暴走したり、誤動作をした場合には、安全性が確保できないといった問題があった。
【０００７】
本発明の目的は、滅菌槽や、加熱槽を備えている場合は加熱槽の圧力破壊防止を確実に行い得る蒸気滅菌装置を提供することにある。
【課題を解決するための手段】
【０００８】
上記の目的を達成する本発明の構成を説明すると、下記の通りである。  
請求項１に記載の発明は、滅菌槽に給蒸遮断弁を設けた給蒸管と排蒸遮断弁を設けた排蒸管が接続され、前記給蒸遮断弁を開にして給蒸管から滅菌槽内へ導入された蒸気により内部に収容した被滅菌物の滅菌を行う蒸気滅菌装置において、前記滅菌槽内の温度がキュリー点を超えると開く磁力作動スイッチを設け、該磁力作動スイッチの入力を前記給蒸遮断弁の電気回路及び／又は排蒸遮断弁の電気回路と直結させ、滅菌槽内の温度がキュリー点を超えたとき、前記磁力作動スイッチの作動により前記給蒸遮断弁が閉じ及び／又は排蒸遮断弁が開くようにしたことを特徴とする。
【０００９】
かかる構成から、滅菌槽の許容最高圧力に対応する所定温度をキュリー点とする磁力作動スイッチを使用すれば、滅菌槽内の温度がキュリー点を超えたとき、前記磁力作動スイッチの作動により前記給蒸遮断弁が閉じて滅菌槽内への蒸気の導入が停止し、及び／又は排蒸遮断弁が開いて滅菌槽内の蒸気が排出されるので、滅菌槽内の圧力上昇を停止させることができ、これにより滅菌槽の圧力破壊を防止することができる。そして、前記磁力作動スイッチの作動は、滅菌槽の許容最高圧力に対応する所定温度にて磁力が消滅して磁力作動スイッチが切れることになり、電気が流れなくなるので、フェールセーフなスイッチとなり、磁力作動スイッチの入力を前記給蒸遮断弁の電気回路又は排蒸遮断弁の電気回路に直結させているので、誤動作のおそれが無く、滅菌槽の圧力破壊防止を確実に行うことができる。
【００１０】
請求項２に記載の発明によれば、被滅菌物を収容する滅菌槽とこの滅菌槽を覆い加熱する加熱槽を備え、前記滅菌槽に滅菌槽給蒸遮断弁を備えた滅菌槽給蒸管と滅菌槽排蒸遮断弁を備えた滅菌槽排蒸管が接続され、前記加熱槽に加熱槽給蒸遮断弁を備えた加熱槽給蒸管と加熱槽排蒸遮断弁を備えた加熱槽排蒸管が接続され、前記加熱槽給蒸遮断弁を開にして加熱槽給蒸管から加熱槽内へ導入された蒸気により滅菌槽を加熱し、前記滅菌槽給蒸遮断弁を開にして滅菌槽給蒸管から滅菌槽内へ導入された蒸気により滅菌槽内に収容した被滅菌物の滅菌を行う蒸気滅菌装置において、前記滅菌槽内の温度がキュリー点を超えると開く磁力作動スイッチを設け、該磁力作動スイッチの入力を前記滅菌槽給蒸遮断弁の電気回路及び／又は滅菌槽排蒸遮断弁の電気回路と直結させ、滅菌槽内の温度がキュリー点を超えたとき、前記磁力作動スイッチの作動により前記滅菌槽給蒸遮断弁が閉じ及び／又は滅菌槽排蒸遮断弁が開くようにし、また、前記加熱槽内の温度がキュリー点を超えると開く磁力作動スイッチを設け、該磁力作動スイッチの入力を前記加熱槽給蒸遮断弁の電気回路及び／又は加熱槽排蒸遮断弁の電気回路と直結させ、加熱槽内の温度がキュリー点を超えたとき、前記磁力作動スイッチの作動により前記加熱槽給蒸遮断弁が閉じ及び／又は加熱槽排蒸遮断弁が開くようにしたことを特徴とする。
【００１１】
かかる構成から、滅菌槽及び加熱槽の許容最高圧力に対応する所定温度をキュリー点とする磁力作動スイッチを使用すれば、滅菌槽内の温度がキュリー点を超えたとき、前記磁力作動スイッチの作動により、前記滅菌槽給蒸遮断弁が閉じて滅菌槽内への蒸気の導入が停止し、及び／又は滅菌槽排蒸遮断弁が開いて滅菌槽内の蒸気が排出されるので、滅菌槽内の圧力上昇を停止させることができ、また、加熱槽内の温度がキュリー点を超えたとき、前記磁力作動スイッチの作動により、前記加熱槽給蒸遮断弁が閉じて加熱槽内への蒸気の導入が停止し、及び／又は加熱槽排蒸遮断弁が開いて加熱槽内の蒸気が排出されるので、加熱槽内の圧力上昇を停止させることができ、これにより滅菌槽及び加熱槽の圧力破壊を防止することができる。そして、前記磁力作動スイッチの作動は、滅菌槽及び加熱槽の許容最高圧力に対応する所定温度にて磁力が消滅して磁力作動スイッチが切れることになり、電気が流れなくなるので、フェールセーフなスイッチとなり、磁力作動スイッチの入力を前記給蒸遮断弁の電気回路及び又は排蒸遮断弁の電気回路に直結させているので、誤動作のおそれが無く、滅菌槽及び加熱槽の圧力破壊防止を確実に行うことができる。
【発明の効果】
【００１２】
以上のように本発明に係る蒸気滅菌装置によれば、滅菌槽又は滅菌槽及び加熱槽内の温度がキュリー点を超えると開く磁力作動スイッチを設け、該磁力作動スイッチの入力を前記給蒸遮断弁の電気回路及び／又は排蒸遮断弁の電気回路と直結させ、滅菌槽又は滅菌槽及び加熱槽内の温度がキュリー点を超えたとき、前記磁力作動スイッチの作動により前記給蒸遮断弁が閉じ及び／又は排蒸遮断弁が開くようにしたので、滅菌槽又は滅菌槽及び加熱槽の許容最高圧力に対応する所定温度をキュリー点とする磁力作動スイッチを使用すれば、滅菌槽又は滅菌槽及び加熱槽内の温度がキュリー点を超えたとき、前記磁力作動スイッチの作動により前記給蒸遮断弁が閉じて滅菌槽又は滅菌槽及び加熱槽内への蒸気の導入が停止し、及び／又は排蒸遮断弁が開いて滅菌槽又は滅菌槽及び加熱槽内の蒸気が排出されるので、滅菌槽又は滅菌槽及び加熱槽内の圧力上昇を停止させることができ、これにより滅菌槽又は滅菌槽及び加熱槽の圧力破壊を防止することができる。そして、前記磁力作動スイッチの作動は、滅菌槽又は滅菌槽及び加熱槽の許容最高圧力に対応する所定温度にて磁力が消滅して磁力作動スイッチが切れることになり、電気が流れなくなるので、フェールセーフなスイッチとなり、磁力作動スイッチの入力を前記給蒸遮断弁の電気回路及び／又は排蒸遮断弁の電気回路と直結させているので、誤動作のおそれが無く、滅菌槽又は滅菌槽及び加熱槽の圧力破壊防止を確実に行うことができる。
【発明を実施するための最良の形態】
【００１３】
以下、本発明に係る蒸気滅菌装置を実施するための最良の形態の一例を詳細に説明する。
【００１４】
図１、図２は、本発明に係る蒸気滅菌装置の実施の形態の第１例であり、図１は本例の蒸気滅菌装置を示す概略構成図、図２は本例で用いる磁力作動スイッチの一例を示す縦断面図である。
【００１５】
本例の蒸気滅菌装置では、滅菌槽１に、給蒸遮断弁２を設けた給蒸管３と排蒸遮断弁４を設けた排蒸管５が接続されている。そして、前記給蒸遮断弁２を開とすることにより、ボイラ（図示せず）により生成された蒸気を給蒸管３から滅菌槽１内へ導入し、給蒸遮断弁２を閉とすることにより滅菌槽１内への蒸気の導入を遮断するようになっている、また前記排蒸遮断弁４を開とすることにより、滅菌槽１内へ導入した蒸気を排蒸管５から排出するようになっている。
【００１６】
前記滅菌槽１内には、滅菌槽１内の温度がキュリー点を超えると開く磁力作動スイッチ６が設けられている。図２は本例で用いられる磁力作動スイッチ６の一例を示す縦断面図である。この磁力作動スイッチ６は、ガラス管７に封入されたリードスイッチ８と、その周囲に配置されキュリー温度にて磁性が変化する筒状の感温磁性体９と、同じくリードスイッチ８の周囲に配置される筒状の永久磁石１０とから構成されている。
【００１７】
このように構成された磁力作動スイッチ６は、感温磁性体９のキュリー点が滅菌槽１において許容される最高圧力に対応する所定温度に設定されており、滅菌槽１内の温度が前記設定温度以上となると、感温磁性体９のキュリー点以上となって磁力が消失し、これに伴いリードスイッチ８が切れるように構成されている。リードスイッチ８にはリード線１１，１２が接続されている。ガラス管７、リード線１１，１２は耐熱性絶縁材１３で覆われている。
【００１８】
前記磁力作動スイッチ６は前記給蒸遮断弁２の電気回路及び排蒸遮断弁４の電気回路に設けてある制御回路１４と直結しており、前記滅菌槽１内の温度がキュリー点を超えたとき、感温磁性体９の磁力が消失し、前記磁力作動スイッチ６が作動してＯＦＦとなり、制御回路１４により前記給蒸遮断弁２が閉じ又は排蒸遮断弁４が開き、又は、給蒸遮断弁２が閉じると共に排蒸遮断弁４が開くようになっている。
【００１９】
また、前記滅菌槽１には、大気圧近傍の飽和温度に対して検知できる温度センサ１５が設けられており、この温度センサ１５の信号が前記制御回路１４に与えられ、滅菌槽１の扉（図示せず）を開ける際の０圧の確認を該制御回路１４で行って、扉を開ける際の許可の指示を出すようになっている。
【００２０】
このように構成された蒸気滅菌装置では、滅菌槽１内の温度がキュリー点を超えたとき、前記磁力作動スイッチ６が作動し、磁力作動スイッチ６からの信号を受けた制御回路１４の制御により、前記給蒸遮断弁２が閉じ、及び／又は排蒸遮断弁４が開く。前記給蒸遮断弁２が閉じることにより滅菌槽１内への蒸気の導入が停止し、排蒸遮断弁４が開くことにより滅菌槽１内の蒸気が排出されるので、滅菌槽１内の圧力上昇を停止させることができ、これにより滅菌槽１の圧力破壊を防止することができる。
【００２１】
このような給蒸遮断弁２、排蒸遮断弁４の動作は前記制御回路１４により制御される。これらの動作のうち、どの動作を選択するかは、特に限定されないが、滅菌槽１内の温度がキュリー点を超えたとき、前記給蒸遮断弁２が閉じると共に排蒸遮断弁４が開くように動作させると、より一層安全性の高いものとなる。
【００２２】
そして、前記磁力作動スイッチ６の作動は、滅菌槽１の許容最高圧力と対応する所定温度にて磁力が消滅して磁力作動スイッチが切れることになり、電気が流れなくなるので、フェールセーフなスイッチとなり、磁力作動スイッチ６の入力を前記給蒸遮断弁２の電気回路及び排蒸遮断弁４の電気回路に設けてある制御回路１４と直結させているので、誤動作のおそれが無く、滅菌槽１の圧力破壊防止を確実に行うことができる。
【００２３】
なお、本例では、前記磁力作動スイッチ６が滅菌槽１内に設けられているが、これに限られるものではなく、滅菌槽１に接続される給蒸管３内の給蒸遮断弁２の下流側に設けられていてもよく、又は、排蒸管５内の排蒸遮断弁４の上流側に設けられていてもよい。
【００２４】
図３は、本発明に係る蒸気滅菌装置の実施の形態の第２例の概略構成図である。
【００２５】
本例の蒸気滅菌装置では、被滅菌物を収容する滅菌槽１６と、この滅菌槽１６を覆い加熱する加熱槽１７を備えている。前記滅菌槽１６には、滅菌槽給蒸遮断弁１８を備えた滅菌槽給蒸管１９と滅菌槽排蒸遮断弁２０を備えた滅菌槽排蒸管２１が接続されている。
【００２６】
また、前記加熱槽１７には、加熱槽給蒸遮断弁２２を備えた加熱槽給蒸管２３と加熱槽排蒸遮断弁２４を備えた加熱槽排蒸管２５が接続されている。
【００２７】
そして、前記滅菌槽給蒸遮断弁１８を開にすることにより、ボイラ（図示せず）により生成された蒸気を滅菌槽給蒸管１９から滅菌槽１６内へ導入し、滅菌槽給蒸遮断弁１８を閉とすることにより滅菌槽１６内への蒸気の導入を遮断するようになっている、また前記滅菌槽排蒸遮断弁２０を開とすることにより、滅菌槽１６内へ導入した蒸気を滅菌槽排蒸管２１から排出するようになっている。
【００２８】
また、前記加熱槽給蒸遮断弁２２を開とすることにより、ボイラ（図示せず）により生成された蒸気を加熱槽給蒸管２３から加熱槽１７内へ導入し、加熱槽給蒸遮断弁２２を閉とすることにより加熱槽１７内への蒸気の導入を遮断するようになっている、また前記加熱槽排蒸遮断弁２４を開とすることにより、加熱槽１７内へ導入した蒸気を加熱槽排蒸管２５から排出するようになっている。
【００２９】
前記滅菌槽１６及び加熱槽１７内には、滅菌槽１６及び加熱槽１７内の温度がキュリー点を超えると開く磁力作動スイッチ２６，２７が設けられている。本例で用いられる磁力作動スイッチ２６，２７は、前記第１例で用いられている磁力作動スイッチ６と同様の構成となっている。前記磁力作動スイッチ２６は、感温磁性体９のキュリー点が滅菌槽１６において許容される最高圧力と対応する所定温度に設定されており、また、前記磁力作動スイッチ２７は、感温磁性体９のキュリー点が加熱槽１７において許容される最高圧力と対応する所定温度に設定されている。
【００３０】
前記滅菌槽１６内に設けた磁力作動スイッチ２６は、前記滅菌槽給蒸遮断弁１８の電気回路及び／又は滅菌槽排蒸遮断弁２０の電気回路に設けてある制御回路２８と直結しており、前記滅菌槽１６内の温度がキュリー点を超えたとき、感温磁性体９の磁力が消失し、前記磁力作動スイッチ２６が作動してＯＦＦとなり、制御回路２８により前記滅菌槽給蒸遮断弁１８が閉じ又は滅菌槽排蒸遮断弁２０が開き、又は、滅菌槽給蒸遮断弁１８が閉じると共に滅菌槽排蒸遮断弁２０が開くようになっている。
【００３１】
また、前記加熱槽１７内に設けた磁力作動スイッチ２７は、前記加熱槽給蒸遮断弁２２の電気回路及び／又は加熱槽排蒸遮断弁２４の電気回路に設けてある制御回路２８と直結しており、前記加熱槽１７内の温度がキュリー点を超えたとき、感温磁性体９の磁力が消失し、前記磁力作動スイッチ２７が作動してＯＦＦとなり、制御回路２８により前記加熱槽給蒸遮断弁２２が閉じ又は加熱槽排蒸遮断弁２４が開き、又は、加熱槽給蒸遮断弁２２が閉じると共に滅菌槽排蒸遮断弁２０が開くようになっている。
【００３２】
また、前記滅菌槽１６には、第１例と同様に、大気圧近傍の飽和温度に対して検知できる温度センサ２９が設けられており、この温度センサ２９の信号が前記制御回路２８に与えられ、滅菌槽１６の扉（図示せず）を開ける際の０圧の確認を該制御回路２８で行って、扉を開ける際の許可の指示を出すようになっている。
【００３３】
このように構成された蒸気滅菌装置では、滅菌槽１６内の温度がキュリー点を超えたとき、前記磁力作動スイッチ２６が作動し、磁力作動スイッチ２６からの信号を受けた制御回路２８の制御により、前記滅菌槽給蒸遮断弁１８が閉じ、及び／又は滅菌槽排蒸遮断弁２０が開く。前記滅菌槽給蒸遮断弁１８が閉じることにより滅菌槽１６内への蒸気の導入が停止し、滅菌槽排蒸遮断弁２０が開くことにより滅菌槽１６内の蒸気が排出されるので、滅菌槽１６内の圧力上昇を停止させることができ、これにより滅菌槽１６の圧力破壊を防止することができる。
【００３４】
このような滅菌槽給蒸遮断弁１８、滅菌槽排蒸遮断弁２０の動作は前記制御回路２８により制御される。これらの動作のうち、どの動作を選択するかは、特に限定されないが、滅菌槽１６内の温度がキュリー点を超えたとき、前記滅菌槽給蒸遮断弁１８が閉じると共に滅菌槽排蒸遮断弁２０が開くように動作させると、より一層安全性の高いものとなる。
【００３５】
また、加熱槽１７内の温度がキュリー点を超えたとき、前記磁力作動スイッチ２７が作動し、磁力作動スイッチ２７からの信号を受けた制御回路２８の制御により、前記加熱槽給蒸遮断弁２２が閉じ、及び／又は加熱槽排蒸遮断弁２４が開く。前記加熱槽給蒸遮断弁２２が閉じることにより加熱槽１７内への蒸気の導入が停止し、加熱槽排蒸遮断弁２２が開くことにより加熱槽１７内の蒸気が排出されるので、加熱槽１７内の圧力上昇を停止させることができ、これにより加熱槽１７の圧力破壊を防止することができる。
【００３６】
このような加熱槽給蒸遮断弁２２、加熱槽排蒸遮断弁２４の動作は前記制御回路２８により制御される。これらの動作のうち、どの動作を選択するかは、特に限定されないが、加熱槽１７内の温度がキュリー点を超えたとき、前記加熱槽給蒸遮断弁２２が閉じると共に加熱槽排蒸遮断弁２４が開くように動作させると、より一層安全性の高いものとなる。
【００３７】
なお、本例では、磁力作動スイッチ２６は、前記滅菌槽１６内に設けられているが、これに限られるものではなく、滅菌槽１６に接続される滅菌槽給蒸管１９内の滅菌槽給蒸遮断弁１８の下流側に設けられていてもよく、又は、滅菌槽排蒸管２１内の滅菌槽排蒸遮断弁２０の上流側に設けられていてもよい。
【００３８】
また、磁力作動スイッチ２７は、加熱槽１７内に設けられているが、これに限られるものではなく、加熱槽１７に接続される加熱槽給蒸管２３内の加熱槽給蒸遮断弁２２の下流側に設けられていてもよく、又は、加熱槽排蒸管２５内の加熱槽排蒸遮断弁２４の上流側に設けられていてもよい。
【図面の簡単な説明】
【００３９】
【図１】本発明に係る蒸気滅菌装置の実施の形態の第１例を示す概略構成図。
【図２】本発明で用いる磁力作動スイッチの一例を示す縦断面図。
【図３】本発明に係る蒸気滅菌装置の実施の形態の第２例を示す概略構成図。
【符号の説明】
【００４０】
１  滅菌槽
２  給蒸遮断弁
３  給蒸管
４  排蒸遮断弁
５  排蒸管
６  磁力作動スイッチ
７  ガラス管
８  リードスイッチ
９  感温磁性体
１０  永久磁石
１１  リード線
１２  リード線
１３  耐熱性絶縁材
１４  制御回路
１５  温度センサ
１６  滅菌槽
１７  加熱槽
１８  滅菌槽給蒸遮断弁
１９  滅菌槽給蒸管
２０  滅菌槽排蒸遮断弁
２１  滅菌槽排蒸管
２２  加熱槽給蒸遮断弁
２３  加熱槽給蒸管
２４  加熱槽排蒸遮断弁
２５  加熱槽排蒸管
２６  磁力作動スイッチ
２７  磁力作動スイッチ
２８  制御回路
２９  温度センサ
【図１】
2006280427.tif 000003
【図２】
2006280427.tif 000004
【図３】
2006280427.tif 000005